(57)【要約】【課題】  既存の可動フードを利用しながら、大型リールの取付も支障なく行え、取付け作業負担も軽くて済むリールシート構造を提供する。【解決手段】  リール脚を締め付け固定する可動フード５を、ナット６の回転によって締め付け方向に移動すべく構成する。ナット６に、ナット６を強制回転させるための摘まみ片７ｄを設け、摘まみ片７ｄをナット６外周面より外方に立ち上げて摘まみ操作可能に構成してある。【選択図】        図１
2007104989.tif 000002
【特許請求の範囲】
【請求項１】
リール脚を締め付け固定する可動フードを、ナットの回転によって締め付け方向に移動すべく構成するとともに、前記ナットに、前記ナットを強制回転させるための操作補助機構を設けてあるリールシート構造。
【請求項２】
前記操作補助機構が、前記ナットに設けた摘まみ片であり、前記摘まみ片をナット外周面より外方に立ち上げて摘まみ操作可能に構成してある請求項1記載のリールシート構造。
【請求項３】
前記操作補助機構が、前記ナット外周面に形成された操作具挿込み用の穴である請求項1記載のリールシート構造。
【請求項４】
前記ナットの外周面における１８０°対角位置に、平坦面部分を形成してある請求項２又は３記載のリールシート構造。
【発明の詳細な説明】
【技術分野】
【０００１】
本発明は、ロッドにトローリングリール等の大型リールを取り付ける為のリールシート構造に関する。
【背景技術】
【０００２】
従来から使用されている可動フードを利用した場合には、可動フードを締め付け方向に移動させるナットを釣り人が手指を駆使して操作していたところから、釣り途中でナットが緩みを生ずる虞があった。この点に鑑みて、この種の大型リールをロッドに取り付けるには、ロッドクランプと呼ばれる機構を使用していた。このロッドクランプは、上面にリール脚部を載置したロッドに対して、ロッドの外周面に沿った湾曲状を呈する受け金具を下から当接させ、その受け金具のロッドより横側方にはみ出した両端からリール本体の下面に向けて止め付けボルトを延出して、リールをロッドに取り付け固定していた（特許文献１参照）。
【０００３】
【特許文献１】特開２００５−５２０９１号公報（段落番号〔００１５〕〜〔００１７〕、及び、図１、２）
【発明の開示】
【発明が解決しようとする課題】
【０００４】
上記構成の場合には、湾曲形状を呈している受け金具と、その受け金具をリール本体に連結する２本のボルトとを必要とし、リール本体にはボルトに係合するネジ部分等を形成する必要があった。
したがって、ロッドクランプという大掛かりな機構を必要とし、リールをロッドに取り付ける作業負担の大きなものとなっているので、リールの取付構造に工夫を加える必要があった。
【０００５】
本発明の目的は、既存の機構を利用しながら、大型リールの取付も支障なく行え、取付け作業負担も軽くて済むリールシート構造を提供する点にある。
【課題を解決するための手段】
【０００６】
〔構成〕
請求項１に係る発明の特徴構成は、リール脚を締め付け固定する可動フードを、ナットの回転によって締め付け方向に移動すべく構成するとともに、前記ナットに、前記ナットを強制回転させるための操作補助機構を設けてある点にあり、その作用効果は次の通りである。
【０００７】
〔作用〕
ここでは、一般的にリールを取り付ける際に使用されている可動フードを使用してリールを強固に取り付けることができるようにする。つまり、可動フードを締め付け方向に移動させるナットに着目し、そのナットに操作補助機構を設けることによって、ナットをその操作補助機構で強制的に回転駆動して可動フードをリール脚締め付け方向に強力に移動させることができる。
【０００８】
〔効果〕
したがって、リールが大型のものであっても、その可動フードで強固にリール脚を保持できるので、可動フードが緩みを生ずることが少なく、リールの取付状態が安定する。
しかも、安定した状態でリールを保持する部品として、従来から使用されている可動フードを使用でき、取り付け構造の簡素化が図れる。
【０００９】
請求項２に係る発明の特徴構成は、請求項１に係る発明において、前記操作補助機構が、前記ナットに設けた摘まみ片であり、前記摘まみ片をナット外周面より外方に立ち上げて摘まみ操作可能に構成してある点にあり、その作用効果は次の通りである。
【００１０】
〔作用効果〕
つまり、摘まみ片をナット外周面に立ち上げることによって、手指で掴み易く、かつ、ナットの外周面に手指を沿えて回す場合に比べて、摘まみ片を立ち上げた分だけ、ナットを回転駆動するトルクを大きくでき、ナットを駆動する力を強力なものにできる。
しかも、摘まみ片を手指で掴んで操作する場合に十分な操作力が加えられない場合には、その摘まみ片をペンチ等の適当な工具で掴んで強制的にナットを駆動回転させることができ、操作補助機構を有効に活用できる。
【００１１】
請求項３に係る発明の特徴構成は、請求項１又は２に係る発明において、前記操作補助機構が、前記ナット外周面に形成された操作具挿込み用の穴である点にあり、その作用効果は次の通りである。
【００１２】
〔作用効果〕
単に、ナットの外周面に操作具挿込み用の穴を形成するだけの改造によって、その操作具挿込み用の穴に工具等の操作具を挿し込んで、その操作具毎にナットを強制回転すると、ナットの外周面より突出する操作具によって大きな操作トルクを発揮させることができ、ナットを比較的容易にかつ強力に回転操作することができる。
その操作性を向上させるために成した改善は、ナット外周面に操作具挿込み用の穴を形成するだけであるので、大きな改造も必要ではなかった。
【００１３】
請求項４に係る発明の特徴構成は、請求項１〜３の内のいずれか一つに係る発明において、前記ナットの外周面における１８０°対角位置に、平坦面部分を形成してある点にあり、その作用効果は次の通りである。
【００１４】
〔作用効果〕
ナットの外周面における１８０°対角位置に形成された平坦面部分にスパナ等の工具の操作面を当てつけて、ナットを回転駆動させることができるので、強力なトルクでナット操作が行え、可動フードの締め付け力を大きなものにできる。
このように操作補助機構として、摘まみ片または操作具挿込み用の穴とともに、この平坦面部分を形成することによって、操作時に装備されている工具等の状況に応じて、適当なものを選択できる操作性の自由度が確保でき、操作性の向上が図れる。
【発明を実施するための最良の形態】
【００１５】
〔第１実施形態〕
大型リールであるトローリングリールＡ等を取り付ける為のリールシート１について説明する。
図１に示すように、ロッド３の所定位置に筒状のシートベース２を外嵌固着するとともに、シートベース２にリール脚を取付固定する為に、固定フード４と可動フード５とを装着してある。可動フード５は、シートベース２に形成したネジ部２Ａと螺合して螺進可能であるとともに、前端面にナット６の後端面と周方向に相対回動自在でかつ一体でロッド３の軸線方向に沿って移動可能な係合機構によってナット６に係合構成されている。そして、可動フード５をリールＡに向けて移動させることによって、リール脚部の厚肉部分に圧接保持する状態となり、リール脚を締め付け固定する締め付け固定力が大きくなるようになっている。
【００１６】
ナット６の外周面に形成する操作補助機構Ｂについて説明する。操作補助機構Ｂはリール脚を可動フード５で強く締め付け固定する際に利用されるものであり、次のように構成されている。
図４に示すように、ナット６の円形外周面６Ａに内部空間に達する貫通孔６Ｂを形成するとともに、貫通孔６Ｂの内周面側に内側座６ｂと外周面側に外側座６ａを形成して、操作補助機構Ｂを装着するように構成してある。
【００１７】
図２〜図５に示すように、操作補助機構Ｂは、外側座６ａに取付られる操作部７Ａと内側座６ｂに取り付けられる取付部７Ｂとから構成される。操作部７Ａは、円形ベース板部７ａと、円形ベース板部７ａの上面に形成してある一対のガード板部７ｂ、７ｂと、一対のガイド板部７ｂ、７ｂとの間に形成されるブラケット部７ｃと、ブラケット部７ｃに横向きピンを介して上下揺動自在に支持される摘まみ片７ｄと、円形ベース板部７ａの下面から下方に垂下されている連結用棒状ネジ部７ｅとから構成されている。
【００１８】
一方、取付部７Ｂは、長方形状のベース板部７ｆとそのベース板部７ｆの上面から上方に向けて突出させた連結用ネジ筒７ｇとから構成されている。
そして、図４及び図５に示すように、連結用棒状ネジ部７ｅを貫通孔６Ｂ内に差し込んだ状態で、外側座６ａに操作部７Ａの円形ベース板部７ａを載置するとともに、ナット６の内部空間側から連結用ネジ筒７ｇを貫通孔６Ｂ内に差込みベース板部７ｆを内側座６ｂに装着する。
この状態で外側の操作部７Ａを回転させて連結用棒状ネジ部７ｅと連結用ネジ筒７ｇとを連結し、操作部７Ａと取付部７Ｂとを連結固定する。これによって、操作補助機構Ｂをナット６に取り付けることができる。
【００１９】
以上のようにして、所定位置に取り付けられた操作部７Ａを操作するには、図２及び図３に示すように、摘まみ片７ｄを立ち上げ反転させる。そして、摘まみ片７ｄを握って、或いは、ペンチ等の手動利器で摘んで強制的にナット６を回転させれば、可動フード５でリール脚を深く保持する状態となり、安定したリールＡの取付状態を得ることができる。
【００２０】
但し、摘まみ片７ｄを立ち上げる姿勢としては、図９に示すように、板面をナット６の円周方向に沿った状態にする。そうすることによって、より強力な回転操作力を得ることができる。
【００２１】
〔第２実施形態〕
ここでは、ナット６の外周面に操作具挿込み用の穴６Ｃを形成する。図６に示すように、この操作具挿込み用の穴６Ｃ内にネジ回し８等の操作具先端部を差し込むことによって、そのネジ回し８でナット６を強制的に回転させるものである。
このように、ネジ回し等の工具を使用してナット６を強制駆動するものであるために、操作具挿込み用の穴６Ｃの内周面の表面強度を強化する為に、底面部を有する金属筒６ｃを、操作具挿込み用の穴６Ｃ内に内嵌してある。これによって、強力な操作力を加えても、操作具挿込み用の穴６Ｃに損傷を生ずることが少なくなる。
操作具挿込み用の穴６Ｃの形状としては、図７（イ）に示すように、円形状、又は、図７（ロ）に示すように、楕円形状、或いは、図７（ハ）に示すように、十字状であってもよい。
【００２２】
〔別実施形態〕
（１）  操作補助機構Ｂとしては、外側座６ａに取付られる操作部７Ａと内側座６ｂに取り付けられる取付部７Ｂとから構成されるものを示したが、操作部７Ａだけで操作補助機構Ｂを構成してもよい。この場合には、ナット６の外周面に、操作部７Ａの連結用棒状ネジ部７ｅをネジ込み固定するように構成する。
（２）  ナット６の外周面としては、従来と同様に、軸線方向に沿った溝を複数個形成して滑り止め機能を高める構成を採ってもよいが、例えば、図８に示すように、４角形状、６角形状等の多角形状や、或いは、小判型形状のように、二つの平坦面が１８０°対向する位置に形成されるものにしてもよい。これによって、スパナ等の工具を使用することが可能になり、強力にナット６を締め込むことができるようになる。
このようなナット６の外周面を６角形等に形成するのは、前記した操作部７Ａと取付部７Ｂとを組み付けた操作補助機構Ｂを併用してよく、または、前記した操作具挿込み用の穴６Ｃである操作補助機構Ｂを形成してもよい。
（３）  操作補助機構Ｂを取り付ける取付座６Ａ部位の構成としては、次ぎのようなものであってもよい。つまり、図５に示すように、ナット６の一部に膨出部６Ｄを形成して、この部分を厚肉に形成してある。このようにナット６の一部を厚肉に形成することによって、操作部７Ａや取付部７Ｂの寸法設定を、余裕を持って行うことができ、設計上の自由度を大きくできる。
（４）  リールＡを取り付けるのに、二つのフード４，５を共に可動フードに構成してもよい。
【図面の簡単な説明】
【００２３】
【図１】ロッドにトローリングリールを取り付けた状態を示す側面図
【図２】操作補助機構を取り付けた状態を示す斜視図
【図３】操作部と取付部とを示す分解斜視図
【図４】操作部と取付部とをナットに取り付けた状態を示し、（イ）は摘まみ片を格納した状態を示す縦断正面図、（ロ）は摘まみ片を起こし反転させた状態を示す縦断正面図
【図５】ナットの操作部取付部位に膨出部を形成した状態を示す縦断正面図
【図６】操作補助機構として操作具挿込み用の穴を形成した状態を示す縦断正面図
【図７】操作具挿込み用の穴の形状を示す平面図
【図８】ナットの外面を多角形状に形成した状態を示す縦断正面図
【図９】摘まみ片を起こして、板面をナットの回転方向に沿った状態に設定して、回転操作する状態を示す斜視図
【符号の説明】
【００２４】
５            可動フード
６            ナット
６Ｃ          操作具挿込み用の穴
６ｄ          平坦面部分
７ｄ          摘まみ片
【図１】
2007104989.tif 000003
【図２】
2007104989.tif 000004
【図３】
2007104989.tif 000005
【図４】
2007104989.tif 000006
【図５】
2007104989.tif 000007
【図６】
2007104989.tif 000008
【図７】
2007104989.tif 000009
【図８】
2007104989.tif 000010
【図９】
2007104989.tif 000011